(57)【要約】【課題】  デパート、スーパー、ホームセンター、コンビニなどで採用されている陳列用商品掛け具の先端部から小さな子供、老人、身障者等のお客さんの顔面、目等を危険な怪我から守るために、従来のプライスカードホルダーに目を守る安全プロテクターをドッキングさせ価格の安い、取付け簡であり、又、ダブルフックおよびシングルフックにも取付け可能な安全プロテクター付きプライスカードホルダーを提供する。【解決手段】  陳列用商品掛け具のダブルフックの先端部を保護するために、従来のプライスカードホルダーの下部に引出し式のレール又はピンを設け、該その中に安全プロテクターを挿入又は差し込み合体させたこととダブルフックおよびシングルフックにも取付け可能な構造にしたことを特徴とする。【選択図】図１
2009233298.tif 000002
【特許請求の範囲】
【請求項１】
陳列用商品掛け具のダブルフック並びにシングルフックの先端部を覆い、目、顔を危険なフックの先端部から保護し失明・顔面の怪我から保護するダブルフック、シングルフック兼用できる安全プロテクタ−付きプライスカードホルダー。
【請求項２】
プライスホルダーと安全プロテクターが合体した請求項１記載の安全プロテクター付きプライスカードホルダー。
【請求項３】
プライスホルダーに安全プロテクターを着脱式にした請求項１〜２のいずれか１項に記載の安全プロテクター付きプライスカードホルダー。
【請求項４】
プライスホルダーの下部の式だし部に安全プロテクターを挿入した請求項１〜３のいずれか１項に記載の安全プロテクター付きプライスカードホルダー。
【請求項５】
プライスホルダーの下部に複数のピンを設け、安全プロテクター後部に複数の穴を明けた請求項１〜４のいずれか１項に記載の安全プロテクター付きプライスカードホルダー。
【請求項６】
安全プロテクター後部中心部に長い半円状の切り欠きを設け、その両端部の適所に小さい穴を設けた請求項１〜５のいずれか１項に記載の安全プロテクター付きプライスカードホルダー。
【請求項７】
この安全プロテクターダブル新型は同じく商品陳列用掛け具のシングルフックタイプにも取付け可能な請求項１〜６のいずれか１項に記載の安全プロテクター付きプライスカードホルダー。
【請求項８】
シングルフック用の駒は２種類の軸経に対応可能なシングルフック専用駒。
【請求項９】
シングルフック用軸は短軸を数本使用し接続カラーで所定の長さにするか、所定の長さに切断するかの一方を選ぶが先端部分は安全プロテクターダブル新型が取付けられる上方向に９０度に曲がった軸を接続カラーで接続する事を特徴とする請求項８記載の安全プロテクター付きプライスカードホルダー。
【発明の詳細な説明】
【技術分野】
【０００１】  本発明は、デパート、スーパー、コンビニ、ホームセンター等で使用する商品掛け具の先端部を保護する安全用品に関する。
【背景技術】
【０００２】  従来は、デパート、スーパー、コンビニ、ホーミセンター等で商品を商品陳列用の取付けバーや格子等に陳列、配列するために、前方向へ商品を掛けるための掛け棒を設け、先端部は商品の出し入れを容易にするため、又、商品が前の方に落ちないために、やや上方へ屈曲している商品掛け具を使用している。従来の商品掛け具は、金属製の掛け棒が突出しているため、掛け棒に吊り下げられた、商品を確かめる等のために顔を近づける際、又、小さな子供が走り、高齢者がつまづいた際に目、顔面を傷つける恐れがあるという欠点とダブルフックとシングルフックが構造状兼用できなく金型が個別になり製作しなければならないため金型代が高価で償却が大変であった。
本発明は、以上のような欠点に鑑み、商品の出し入れを可能にしながら、買い物中や歩行中等に購買客や来訪者がケガなどをしない様に効率良く防止することができ、商品掛け具の先端部を保護し、安全プロテクター付きプライスカードホルダーを使用する事でダブルフックとシングルフックにも使用できるようにする事を目的としている。
次のような類似の特許公開などがある。
【特許文献１】  特開２０００−１９７５４２号公報
【特許文献２】  特開２００２−１８６５４４号公報
【特許文献３】  特開２００１−１６９８７６号公報  本出願人と同じ
【特許文献４】  特開２００７−３０７３２５号公報  本出願人と同じ
【発明の開示】
【発明が解決しよとする課題】
【０００３】  デパート、スーパー、コンビニ、ホームセンター等において、子供、老人、身障者が興す目の事故、顔面事故等で陳列用商品掛け具のフックの先端部の危険から目、顔を保護するものはあるが、取付け、価格、美観など問題が多く最適で安全な防止具が少なく、又フックの直径がまちまちで、該対応するにも金型、価格等様々な問題があり全ての直径のフックの先端部の安全を製造するのが困難であり、又プライスカードホルダーは各種販売されているが、目や顔面を保護するためにはフックの先端部の前面にかなり出す関係で商品を隠し、美観が良くないためにあまり使用されていない。そこでプライスカードホルダーと安全プロテクターが合体、又は取付け取外しが容易にでき、既存の金型を修正・追加加工のみで良く、価格が安くなれば、新規フックのみならず、既存のフックにも容易に取り付けられる安全プロテクターが望まれ、又ダブルフックとシングルフックを同じ安全プロテクターで保護できるものは、現時点ではそのような安全保護具はない。
本発明は、以上の問題点を解決するためのものである。
【課題を解決するための手段】
【０００４】  ダブルフックの陳列用商品掛け具本体１の直角に上方向に曲がった先端部にプライスカードホルダーＡ４を設け、該プライスカードホルダー４の下部に引出し５を設け、安全プロテクター３を挿入する方法、又はプライスカードホルダーＢ７の下部に複数の凸部のピンを設け、そのピンに、後部に複数の穴のあいた安全プロテクター６を差し込む方法があり、どちらか一方を選択できる。これにより従来のプライスカードホルダー４あるいは７の下部を追加修正し、安全プロテクター３あるいは６を追加加工する事で両者を合体し使用する事により、目と顔面を保護できるし、又使用しないときは安全プロテクターを着脱する事も容易である。又ダブルフック、シングルフックにもこの安全プロテクター付きプライスカードホルダーが使用可能であり、金型が極端に安価に製作できる。これにより従来の問題点を全て解決できる。
【発明の効果】
【０００５】  従来のプライスホルダーの下部を修正、追加加工する事で安全プロテクターを設置でき、子供、老人、身障者、動ける患者等がデパート、スーパー、コンビニ、ホームセンター等の店舗で安心して買物ができ、目や顔面を突然の事故から保護する安全プロテクター付きプライスカードホルダーであり安全面で大いに役立つと共に、取付け、取外しが極端に容易になり、ダブルフック、シングルフックにも兼用できるため、新規店舗、既存の店舗にも将来的には大いに期待できる。
【発明を実施するための最良の形態】
【０００６】  ダブルフッグの陳列用商品掛け具本体において直角に上方向に曲がった先端部にプライスカードホルダーＡを設け、該プライスカードホルダーＡの下部に引出しを設け、安全プロテクターＡを挿入する方法、又はプライスカードホルダーＢの下部に複数の凸部のピンを設け、そのピンに、後部に複数の穴のあいた安全プロテクターＢを差し込む方法があり、どちらか一方を選択できる。これにより従来のプライスカードホルダーＡあるいはＢの下部を追加修正し、安全プロテクターＡあるいはＢを取付ける事で目と顔面を保護できるし、又使用しないときは安全プロテクターを着脱する事も容易であり、現在使用されているダブルフック及びシングルフック両方に取付け可能な安全プロテクター付きプライスカードホルダーである。
本発明は、以上の構成よりなっている。
【実施例】
【０００７】  陳列用商品掛け具の先端部を保護する安全プロテクターは、ヨーカー堂、ジャスコ、コクヨ、イトーキー、オカムラ、タテヤマアドバンス等ですでに多数個実施されておるが、プライスカードホルダーと安全プロテクターが独立しており、別個に購入しなければ成らず、安全プロテクターは必要箇所のみにしか採用されなかった。しかし、この安全プロテクター付きプライスカードホルダーはプライスカードホルダーと安全プロテクターが着脱可能にしたので、新規のお店、又は既存の店頭にも容易に取付けが可能であり、更に現時点で使用されている既存のダブルフック、シングルフックの先端部に安全プロテクター付きプライスカードホルダーを現在の取付けてあるプライスカードホルダーと交換するだけであり、今後多数量の取付けが期待できる。
【産業上の利用可能性】
【０００８】  従来型のダブルタイプのフックには安全プロテクターはすでに大手スーパー等数社に採用されており、今回の安全プロテクターは更に改良を加えており、従来より一段と進化しているため、デパート、スーパー、ホームセンター、コンビニ等での買物時における、子供、高齢者の顔面、目等に対する事故を保護するために開発された新安全商品であり産業上の利用可能性は将来大いに期待できる。又シングルタイプのフックの利用もプライスカードホルダーを取付ける軸を延ばしダブルフックタイプと同じ構造にすれば５０〜５００ｍｍまででも、プライスカードホルダーが取付け可能であれば対応できる為、全てのフックに対応可能であり、金型を修正、追加するだけで、価格も安く、取付けも容易な安全プロテクター付きプライスカードホルダーを世の中に提供できる。本発明は、以上の構成よりなっている。
【図面の簡単な説明】
【０００７】
【図１】本発明の使用状態の正面図。
【図２】本発明の使用状態の平面図。
【図３】本発明の安全プロテクターの正面図。
【図４】本発明の安全プロテクターの平面図。
【図５】本発明の安全プロテクターの右側面図。
【図６】本発明の安全プロテクターの裏面図。
【図７】本発明のプライスカードホルダーの正面図。
【図８】本発明のプライスカードホルダーの平面図。
【図９】本発明のプライスカードホルダーの左側面図。
【図１０】本発明のプライスカードホルダーの背面図。
【図１１】本発明のプライスカードホルダーの底面図。
【図１２】本発明の安全プロテクターの正面図。
【図１３】本発明の安全プロテクターの平面図。
【図１４】本発明の安全プロテクターの右側面図。
【図１５】本発明の他のプライスカードホルダーの正面図。
【図１６】本発明の他のプライスカードホルダーの平面図。
【図１７】本発明の他のプライスカードホルダーの左側面図。
【図１８】本発明の他の安全プロテクターの正面図。
【図１９】本発明の他の安全プロテクターの平面図。
【図２０】本発明の他の安全プロテクターの平面図。
【図２１】本発明の他の安全プロテクターの正面図。
【図２２】本発明のシングルフックの先端部に安全プロテクター付きプライスカードホルダーを取付けた正面図。
【図２３】本発明のシングルフック１５０〜５００ｍｍ位の先端部に安全プロテクター付きプライスカードホルダーを取付けた正面図。
【図２４】本発明のシングルフック先端部に安全プロテクター付きプライスカードホルダーを取付けた右側面図。
【図２５】本発明のシングルフック先端部に安全プロテクター付きプライスカードホルダーを取付けた左側面図。
【図２６】本発明のシングルフック用の２種類の線経が使用できる駒の正面図。
【図２７】本発明のシングルフック用の２種類の線経が使用できる駒の右側面図。
【符号の説明】
【０００８】１  安全プロテクター付きプライスカードホルダーを取付けたダブルフック本体
２  安全プロテクター本体
３  安全プロテクターＡ
４  プライスカードホルダーＡ
５  引出し式
６  安全プロテクターＢ
７  プライスカードホルダーＢ
８  ピン
９  穴
１０  安全プロテクターＣドホルダー
１１  安全プロテクター付きプライスカードホルダーを取付けたシングルフック本体
１２  シングルフック用軸
１３  シングルフック用接続用カラー
１４  シングルフック専用軸取付け駒
【図１】
2009233298.tif 000003
【図２】
2009233298.tif 000004
【図３】
2009233298.tif 000005
【図４】
2009233298.tif 000006
【図５】
2009233298.tif 000007
【図６】
2009233298.tif 000008
【図７】
2009233298.tif 000009
【図８】
2009233298.tif 000010
【図９】
2009233298.tif 000011
【図１０】
2009233298.tif 000012
【図１１】
2009233298.tif 000013
【図１２】
2009233298.tif 000014
【図１３】
2009233298.tif 000015
【図１４】
2009233298.tif 000016
【図１５】
2009233298.tif 000017
【図１６】
2009233298.tif 000018
【図１７】
2009233298.tif 000019
【図１８】
2009233298.tif 000020
【図１９】
2009233298.tif 000021
【図２０】
2009233298.tif 000022
【図２１】
2009233298.tif 000023
【図２２】
2009233298.tif 000024
【図２３】
2009233298.tif 000025
【図２４】
2009233298.tif 000026
【図２５】
2009233298.tif 000027
【図２６】
2009233298.tif 000028
【図２７】
2009233298.tif 000029